(57)【特許請求の範囲】
【請求項１】
特に家具のための、扉（２ａ、２ｂ）を面一の閉状態にスライドさせる装置（１）であって、
少なくとも一つの前記扉（２ａ、２ｂ）の閉鎖位置を強制するように構成された手段（１９ａ、１９ｂ、２４、２５、２６）を備え、少なくとも一つの前記扉（２ａ、２ｂ）の閉鎖位置を強制するように構成された前記手段は、頂点、第１の端部（２３ａ）及び弾性的に伸張される少なくとも一つの要素（２４）と相互作用する第２の端部（２３ｂ）を有する少なくとも１つのＶ字状のリンク機構（２６）と、前記頂点及び前記第２の端部（２３ｂ）の間で係合する少なくとも一つの一方向性ブレーキまたはアクチュエータ（２５）と、によって構成されている
ことを特徴とする装置。
【請求項２】
一対のＬ字状の接合部（５ａ、５ｂ）がその長手側に結合された平板（４）からなるブラケットシステム（３）を備え、前記接合部の前記翼部はそれぞれ、前記平板（４）と各前記扉（２ａ、２ｂ）の前記内側面（６）とに接続され、第１の対の車輪（１０ａ、１０ｂ）が前記平板（４）と回転可能に下方領域で結合されている
ことを特徴とする請求項１に記載の装置。
【請求項３】
前記少なくとも一つのリンク機構（２６）は、前記第１の対の車輪（１０ａ、１０ｂ）と類似すると共に、前記家具を上方から見た平面視で円弧状であって、前記家具の前記上面（８）から突出している第１のガイド（１１）にスライド可能に係合する第３の対の車輪（１９ａ、１９ｂ）に枢着された第１の端部（２３ａ）を有する
ことを特徴とする請求項２に記載の装置。
【請求項４】
前記少なくとも一つのリンク機構（２６）の頂点は、前記第３の対の車輪（１９ａ、１９ｂ）から離れる側にあって前記平板（４）に枢着されており、
前記リンク機構（２６）の前記第２の端部（２３ｂ）は、その他端が前記平板（４）に結合されたスプリング（２４）等の前記弾性的に伸長可能な少なくとも一つの要素と係合され、前記スプリング（２４）は、前記扉が閉状態で開放される
ことを特徴とする請求項３に記載の装置。
【請求項５】
前記リンク機構（２６）の前記頂点と前記第２の端部（２３ｂ）との間には、前記少なくとも一つのスプリング（２４）と同じ方向に沿う少なくとも一つの一方向性ブレーキまたはアクチュエータ（２５）が係合され、その機能は、面一状態に再配置する間の前記扉の動きを遅くし、突然の閉鎖動作を抑制するように扉の閉鎖時にのみ働く
ことを特徴とする請求項４に記載の装置。
【発明の詳細な説明】
【技術分野】
【０００１】
本出願は、特に家具等のための、扉を面一の閉状態にスライドさせる装置に関する。
【背景技術】
【０００２】
最近では、通常のヒンジ式ドアの代替として、ワードローブや一般的な家具、並びにドアや窓枠にも、またはその開放位置で省スペースを必要とする閉鎖要素の他の用途にも適用可能であるスライドドア方式が知られている。
【０００３】
一般に、これらのタイプのドアは、複数の扉から構成されており、各扉は、レールにより案内される回転手段を備えたブラケットを有し、該レールは、上側ガイドおよび下側ガイドにより構成され、それぞれ閉鎖される空間の床および天井に適用され、一方の扉のレールは、他方の扉のレールに隣接して平行である。
【０００４】
そのため、このタイプのドアにおいて扉のスライドは、平行な隣接する平面上で生じ、一方の扉の端部が他方の扉の端部と位置合わせまたは部分的に重なることによって、閉鎖される空間の端部またはわき柱に両方の扉の互いに反対の端部が対向した状態で空間の閉鎖を達成する。
【０００５】
特に、美観が非常に重要であると考えられる家具において、閉鎖時に平行かつ近接しているが、２つの異なる平面上に配置されて見えるスライドドアの美的品質は、閉鎖時に２つの扉の面一性を提供する一方で、開放時にそれらの重複を確実にする解決方法を探求するための当該分野の技術をもたらした。
【０００６】
この確立された技術によれば、多かれ少なかれ複雑な異なる装置を備えるが、閉鎖時に扉の面一性は得られ、各扉について、各平行レールに沿った引っ張り工程と、その並進運動のための隣接する底レールへの押し出し工程とを含み、その他端は扉が並んで動く他の扉を既に支持して案内している。
【０００７】
面一性を実現するために、適したブラケットおよび各スライド要素によって、各扉に一対のスライドガイドが設けられた引っ張り装置を使用する特許文献１のイタリア国特許が知られている。このようなガイドの対はそれぞれ、直線状の前方ガイドと湾曲した端部を有する第２の後方ガイドとを含んでいる。一方で、移動される扉の単純な並進運動によって、類似する扉の類似するスライド要素の並進運動を可能にするように、第１のガイドには、直角に分岐し、第２のガイドに向けられた部分が設けられている。
【先行技術文献】
【特許文献】
【０００８】
【特許文献１】イタリア国特許第１２０８１５２号明細書
【０００９】
しかしながら、上述の特許によって提案された、比較的構造が単純なスライドドアの解決方法は、その構造と組立が複雑であると共に、支持構造と扉の並進運動にある程度の負荷があるものであった。
【００１０】
特に、ブラケットシステムおよび下側軌道敷の負荷は、これらのスライドドアが適用された家具の一部を使用できなくしてしまうことが知られている。
【００１１】
このような既知の技術に起因する深刻な欠点には、扉を閉鎖するために、ユーザが閉鎖の最終段階において、家具上で扉の高速の移動を引き起こし、結果として部品間で激しい衝突が生じる所定の大きさの力を加えなければならないということがある。厄介な騒音に加えて、これは、徐々に部品の損傷を引き起こす。
【発明の概要】
【発明が解決しようとする課題】
【００１２】
従って、本発明の目的は、閉鎖時の扉の面一性と開放時の家具の両側でのその重複配置とを実現できるだけでなく、扉と家具の間で激しい衝突がなく容易に閉鎖できる、スライド可能な扉に適用される装置を提供することによって、上述の技術的課題を解決し、引用された公知技術の欠点を解消することである。
【００１３】
本目的内で、本発明の目的は、ユーザによる直接的な介入を必要とせず、その閉鎖動作時に、家具に加わる可能性のある損傷や衝撃から扉を保護する装置を提供することである。
【００１４】
別の目的は、構造的に単純で、保守が容易な、部品数が少ない装置を提供することである。
【課題を解決するための手段】
【００１５】
本目的とこれらおよび以下にさらに明らかになるであろう他の目的は、特に家具用の扉を面一の閉状態にスライドさせる装置によって達成され、前記扉の各々と相互接続するためのブラケットシステムを備え、それは少なくとも一つの前記扉を閉鎖位置させるように構成された手段を備えることを特徴とする。
【００１６】
本発明のさらなる特徴および利点は、添付図面に非限定的な例として示す特定の、しかし排他的ではない実施形態の詳細な説明から一層明らかになるであろう。
【図面の簡単な説明】
【００１７】
【図１】本装置が適用された２つの扉を有する家具の左半分の第１の平面図である。
【図２】本装置が適用された２つの扉を有する家具の右半分の第２の平面図である。
【図３】第１の分解斜視図である。
【図４】本装置を示す第２の分解斜視図である。
【図５】扉が閉状態である家具の一部を示す図である。
【図６】扉が開状態である家具の一部を示す図である。
【図７】扉を開き始めた状態である家具に適用された本発明を示す図である。
【図８】扉を完全に開いた状態である家具に適用された本発明を示す図である。
【発明を実施するための形態】
【００１８】
図示の実施形態において、特定の実施例に関して示される個々の特性は、実際には、他の実施形態に存在する他の異なる特性と置換することができる。
【００１９】
また、留意すべきは、特許取得処理の間に公知となった事項は、請求されず、免責事項の対象となるということである。
【００２０】
上述の図面を参照する際、符号１は、通常、特に家具等のための扉２ａ、２ｂを面一の閉状態にスライドさせる装置を示す。
【００２１】
本装置は、好ましくは平面視で長方形である平板４からなり、該平板４には、その長手方向側面の一方に一対のＬ字型の接合部５ａ、５ｂが結合され、その翼部は、平板４と各扉２ａ、２ｂの内側面６とその上端部７でそれぞれ接続されている、各扉２ａ、２ｂと接続するためのブラケットシステム３を備える。
【００２２】
アイドル状態であって上面８と平行な同一面上に配置されると共に、固定または予め決定可能な所望の空間を隔てて保持されている第１の対の車輪１０ａ、１０ｂが、家具の上面８と使用時に対向する平板４の表面に、平板４の第１の外縁部４ａの中央領域に隣接して、有利には適した第１の筒状スペーサまたはハブ９を介在させることによって、回転可能に結合されている。
【００２３】
第１の対の車輪１０ａ、１０ｂの回転可能な相互接続は、例えば、第１の筒状スペーサまたはハブ９を中央に下方領域で回動し、その端部で車輪が同様に回動されてアイドル状態であるアーム９ａによって得られる。
【００２４】
適したベアリングおよび／またはパッドが摩擦を低減するために設けられている。
【００２５】
第１の対の車輪１０ａ、１０ｂは、家具の上面８と一体化されている台板８ａから突出する第１のガイド１１にスライド可能に係合されており、従って、第１のガイド１１は、第１の対の車輪１０ａ、１０ｂの間に画定された空間内に置かれている。
【００２６】
第１のガイド１１は、直線状であり、家具の前縁部１３に略平行な第１の部分１２と、家具の後縁部１５の方向に傾いており、その端部が家具の側縁部に隣接する２つの第２の部分１４ａ、１４ｂと、を画定するように平面視でＵ字形である。
【００２７】
第２の部分１４ａ、１４ｂの傾きは、家具の前縁部１３から第１のガイド１１の端部１５までの距離が扉２ａ、２ｂを閉状態で、ちょうど家具の前縁部１３に配置できるようにするものである。
【００２８】
傾斜部の長さは、平板４の半分の長さよりもわずかに短いことが好ましいが、これに限定されるものではない。
【００２９】
第１のガイド１１は、家具に結合された台板８ａから突出し、家具の前縁部１３と略平行に配置された軸部１６ａと、第１の対の車輪１０ａ、１０ｂの溝の間でスライド可能に固定された頭部１７ａと、を画定するようなＴ字形断面を有する。
【００３０】
ブラケットシステム３には、第２の対の車輪１８ａ、１８ｂおよび第３の対の車輪１９ａ、１９ｂが結合されている。第２の対の車輪１８ａ、１８ｂは、第１の対の車輪１０ａ、１０ｂと類似している。
【００３１】
第２の対の車輪１８ａ、１８ｂの回転可能な相互接続は、例えば、第２の筒状スペーサまたはハブ９ｃを中心に下方領域で回動し、その端部で車輪が同様に旋回してアイドル状態であるアーム９ｂによって得られる。
【００３２】
第２の対の車輪１８ａ、１８ｂは、家具の上面８と結合される台板８ａと使用時に対向する平板４の表面に、平板４の長手方向後縁部４ｂに近接して、長手方向後縁部４ｂと第２の外縁部４ｃをつなぐ平板４の角領域に配置されている。
【００３３】
第２の対の車輪１８ａ、１８ｂは、第１のガイド１１と形状が似ているが、より短い第２のガイド２０にスライド可能に係合されている。第２のガイド２０は、第１のガイド１１と平行に配置され、家具の前縁部１３と反対側に配置されている。
【００３４】
また、第２のガイド２０は、家具の上面８と結合され、家具の前縁部１３と略平行に配置された台板８ａから突出する軸部１６ｂと、第２の対の車輪１８ａ、１８ｂの溝の間にスライド可能に固定されている頭部１７ｂと、を画定するようなＴ字形断面である。
【００３５】
第１および第２のガイドの間の距離は、開状態で、扉が家具の前縁部１３から離れる所望の動きを行うことができるようなものである。
【００３６】
特に、第２のガイドのより短い長さは、平板４の長さの約２倍に等しいことが好ましいが、これに限定されるものではなく、また、この第２のガイド２０は、直線状であり、家具の前縁部１３と略平行である第３の部分２１と、円弧状であって家具の後縁部１５に向けられ、第２の部分１４ａ、１４ｂより短い２つの第４の部分２２ａ、２２ｂとを画定するように、平面視でＵ字形である。
【００３７】
第４の部分２２ａ、２２ｂの傾きは、扉が閉状態の場合、平板４が水平に配置され、従って第１および第２のガイド１１、２０に平行となるようなものである。
【００３８】
第１および第２のガイド１１、２０は、家具の上面８を横断する中央軸線に対して鏡面的に配置されている。
【００３９】
扉を閉じた面一の状態から始めて、その開放を達成するためにドアの一方に付与された動作は、家具の前縁部１３に向かう平板４の初期の移動を含んでいる。特に、第２のガイド２０の形状は、頭部１７ａ、１７ｂにスライド可能に係合することで扉を支持する第２の対の車輪１８ａ、１８ｂが平板したがって扉を家具から外側に移動させることを確実にする。
【００４０】
この移動は、第４の部分２２ａ、２２ｂの形状によって即座に増強される。
【００４１】
第１のガイド１１の第２の部分１４ａ、１４ｂが第２のガイド２０の第４の部分に対して異なる傾斜を有するので、第１の開ステップにおいて、平板４、従って扉が、第１および第２の対の車輪１８ａ、１８ｂ、１９ａおよび１９ｂが第１および第２のガイド１１と２０の第１および第３の部分１２、２１上に配置された際に水平状態となるまで初期の傾斜配置される。
【００４２】
第３の対の車輪１９ａ、１９ｂは、家具の上面８と結合される台板８ａと使用時に対向する平板４の表面に、家具の前縁部１３に隣接する平板４の長手方向前縁部４ｄに近接して、平板４の隣接する第２の外縁部４ｃと対向する領域に配置されている。
【００４３】
また、第３の対の車輪１９ａ、１９ｂは、上面８に対して同一面上で平行に配置され、有利には、第３の対の車輪１９ａ、１９ｂの溝の間にスライド可能に固定されている頭部１７ａ上にある。
【００４４】
第３の対の車輪１９ａ、１９ｂは、少なくとも一つの扉の閉鎖位置を強制するように構成された手段に回転可能に接続されている。
【００４５】
このような手段は、Ｖ字状のリンク機構２６によって構成されており、その第１の端部２３ａが第３の対の車輪１９ａ、１９ｂに対して旋回され、第２の対の車輪１９ａ、１９ｂから離れる側にあるその頂点が平板４に対して旋回される。
【００４６】
リンク機構２６の第２の端部２３ｂは、他端が平板４に連結されたスプリング２４等の弾性的に伸長可能な要素に係合されている。
【００４７】
扉が閉状態にあるとき、スプリング２４は開放されている。
【００４８】
リンク機構２６の頂点と第２の端部２３ｂの間には、スプリング２４と同じ方向に沿った一方向性ブレーキまたはアクチュエータ２５が係合されており、その機能は、面一状態で再配置する間の扉の動きを遅くし、突然の閉鎖動作を抑制するように、扉の閉鎖時にのみ働くものである。
【００４９】
実際に、本発明は、意図した目標および目的を完全に達成し、その閉鎖動作の最後に、本装置によって家具にゆっくりとぶつかるまで、ゆっくりと引っ張られるドアが徐々に最終閉鎖できるようにする、スライドドアに適用される装置が得られることが分かった。
【００５０】
さらに、本装置は、ユーザからの介入を必要とせず、したがって、該ユーザは、それが閉鎖を完了しそうなとき、以前に開放中に伸長されたスプリング２４の存在のおかげで、シフトされる扉にあまり力を加えなくてもよい。最後に、ブレーキ２５によって家具に対する扉の最終的な接近を減速する。
【００５１】
当然ながら、使用される材料、並びに本発明の個々の構成要素を構成する寸法は、特定の要件に対してより適切なものであってもよい。
【００５２】
特定の異なる機能をもたらす種々の手段は、図示された実施形態において共存するものではないが、それらは図示されていなくても、多くの実施形態においてそれ自体で存在してもよい。
【００５３】
また、有利、便利または類似であるとして示された特性は、除外しても、または同等の特性により置換してもよい。
【００５４】
本出願が優先権を主張するイタリア国特許出願第２０１１Ａ００００７１号明細書の開示は、参照により本明細書に組み込まれている。
【００５５】
請求項に記載された技術的特徴に参照符号が付いている場合、それらの参照符号は、請求項の理解を容易にするためだけに入れられているので、そのような参照符号による例示によって指定される各要素の解釈に、そのような参照符号はいかなる限定的影響も及ぼさない。
【図１】
0006025826.tif 000002
【図２】
0006025826.tif 000003
【図３】
0006025826.tif 000004
【図４】
0006025826.tif 000005
【図５】
0006025826.tif 000006
【図６】
0006025826.tif 000007
【図７】
0006025826.tif 000008
【図８】
0006025826.tif 000009